(57)【要約】【課題】  メールを利用した自動選局受信や受信態様自動調整が可能な通信端末装置を実現する。【解決手段】  時間パラメータ、チューニングパラメータ、コントラストパラメータおよび明るさパラメータを本文に含むメールを作成して送信する。このメールを受信する側が自動チューニング（自動受信）を行うように設定されている場合、着信メールの本文に含まれる上記各パラメータを認識し、チューニングパラメータが指定するチャンネルの放送を、時間パラメータで指定される時刻に受信を開始し、コントラストパラメータおよび明るさパラメータに従って受信態様を自動的に調整するので、メールを利用した自動選局受信や受信態様自動調整を行うことが可能になる。【選択図】  図１１
2005192091.tif 000002
【特許請求の範囲】
【請求項１】
受信局および受信開始時刻を指定するパラメータを含むメールを作成するメール作成手段と、
前記メール作成手段により作成されたメールを送信するメール送信手段と、
メールを受信するメール受信手段と、
自動受信を行うか否かを設定する自動受信設定手段と、
前記自動受信設定手段により自動受信するよう設定された場合、前記メール受信手段により受信されたメールに、前記パラメータが含まれるか否かを判定するパラメータ判定手段と、
前記パラメータ判定手段によって前記パラメータが含まれると判定された場合、当該パラメータが指定する受信局の放送を受信開始時刻に自動的に受信する放送受信手段と
を具備することを特徴とする通信端末装置。
【請求項２】
受信局および受信開始時刻を指定するパラメータを含むメールを作成するメール作成手段と、
前記メール作成手段により作成されたメールを送信するメール送信手段と
を具備することを特徴とする通信端末装置。
【請求項３】
メールを受信するメール受信手段と、
自動受信を行うか否かを設定する自動受信設定手段と、
前記自動受信設定手段により自動受信するよう設定された場合、前記メール受信手段により受信されたメールに、受信局および受信開始時刻を指定するパラメータが含まれるか否かを判定するパラメータ判定手段と、
前記パラメータ判定手段によって前記パラメータが含まれると判定された場合、当該パラメータが指定する受信局の放送を受信開始時刻に自動的に受信する放送受信手段と
を具備することを特徴とする通信端末装置。
【請求項４】
受信局および受信開始時刻を指定する自動選局受信パラメータと、コントラストおよび明るさを指定する受信態様自動調整パラメータとを含むメールを作成するメール作成手段と、
前記メール作成手段により作成されたメールを送信するメール送信手段と、
メールを受信するメール受信手段と、
自動受信を行うか否かを設定する自動受信設定手段と、
前記自動受信設定手段により自動受信するよう設定された場合、前記メール受信手段により受信されたメールに、前記自動選局受信パラメータおよび受信態様自動調整パラメータが含まれるか否かを判定するパラメータ判定手段と、
前記パラメータ判定手段によって前記自動選局受信パラメータが含まれると判定された場合、当該パラメータが指定する受信局の放送を受信開始時刻に自動的に受信する放送受信手段と、
前記パラメータ判定手段によって前記受信態様自動調整パラメータが含まれると判定された場合、当該パラメータが指定するコントラストおよび明るさの受信態様となるよう自動的に調整する受信態様調整手段と
を具備することを特徴とする通信端末装置。
【請求項５】
受信局および受信開始時刻を指定するパラメータを含むメールを作成するメール作成処理と、
前記メール作成処理により作成されたメールを送信するメール送信処理と、
メールを受信するメール受信処理と、
自動受信を行うか否かを設定する自動受信設定処理と、
前記自動受信設定処理にて自動受信するよう設定された場合、前記メール受信処理により受信されたメールに、前記パラメータが含まれるか否かを判定するパラメータ判定処理と、
前記パラメータ判定処理によって前記パラメータが含まれると判定された場合、当該パラメータが指定する受信局の放送を受信開始時刻に自動的に受信する放送受信処理と
をコンピュータで実行させることを特徴とする通信端末処理プログラム。
【請求項６】
受信局および受信開始時刻を指定するパラメータを含むメールを作成するメール作成処理と、
前記メール作成手段により作成されたメールを送信するメール送信処理と
をコンピュータで実行させることを特徴とする通信端末処理プログラム。
【請求項７】
メールを受信するメール受信処理と、
自動受信を行うか否かを設定する自動受信設定処理と、
前記自動受信設定処理にて自動受信するよう設定された場合、前記メール受信処理により受信されたメールに、受信局および受信開始時刻を指定するパラメータが含まれるか否かを判定するパラメータ判定処理と、
前記パラメータ判定処理によって前記パラメータが含まれると判定された場合、当該パラメータが指定する受信局の放送を受信開始時刻に自動的に受信する放送受信処理と
をコンピュータで実行させることを特徴とする通信端末処理プログラム。
【請求項８】
受信局および受信開始時刻を指定する自動選局受信パラメータと、コントラストおよび明るさを指定する受信態様自動調整パラメータとを含むメールを作成するメール作成処理と、
前記メール作成処理にて作成されたメールを送信するメール送信処理と、
メールを受信するメール受信処理と、
自動受信を行うか否かを設定する自動受信設定処理と、
前記自動受信設定処理にて自動受信するよう設定された場合、前記メール受信処理により受信されたメールに、前記自動選局受信パラメータおよび受信態様自動調整パラメータが含まれるか否かを判定するパラメータ判定処理と、
前記パラメータ判定処理によって前記自動選局受信パラメータが含まれると判定された場合、当該パラメータが指定する受信局の放送を受信開始時刻に自動的に受信する放送受信処理と、
前記パラメータ判定処理によって前記受信態様自動調整パラメータが含まれると判定された場合、当該パラメータが指定するコントラストおよび明るさの受信態様となるよう自動的に調整する受信態様調整処理と
をコンピュータで実行させることを特徴とする通信端末処理プログラム。
【発明の詳細な説明】
【技術分野】
【０００１】
本発明は、例えばＴＶやラジオを受信する機能を備えた携帯電話などの装置に関し、特にメールを利用して自動選局受信を可能にする通信端末装置および通信端末処理プログラムに関する。
【背景技術】
【０００２】
従来より、アンカータグとｈｒｅｆ属性とで記述されるＨＴＭＬタグに従って指定ＵＲＬのウェブページにリンクを貼る技術が知られており、この種の技術を用いた発明として、例えば特許文献１には、所定の文字列や画像に対応付けて電話番号をリンク先として記述できるタグを使用して、ウェブブラウザからウェブサーバ以外の通信装置にアクセス可能とする装置が開示されている。
【０００３】
また、メール機能を備える携帯電話などの通信端末装置では、メール本文内に記述された「メールアドレス」、「電話番号」あるいは「ＵＲＬ」をリンクパラメータと認識し、そのリンクパラメータをユーザが選択して決定することによって、「メールアドレス」宛にメール送信したり、「電話番号」に発信したり、「ＵＲＬ」のサイトにアクセスしたりする技術も知られている。
【０００４】
【特許文献１】特開平１０−１６４２５６号公報
【発明の開示】
【発明が解決しようとする課題】
【０００５】
ところで、昨今の携帯電話などの通信端末装置は機能の複合化が進み、テレビ・ラジオ放送を受信する機能を備える機種も開発されている。この為、メール本文内のリンクパラメータを用いてサイトアクセスさせるだけにとどまらず、メールを利用した自動選局受信や受信態様自動調整を可能にする技術が必要になってきている。
そこで本発明は、このような事情に鑑みてなされたもので、メールを利用した自動選局受信や受信態様自動調整を行うことができる通信端末装置および通信端末処理プログラムを提供することを目的としている。
【課題を解決するための手段】
【０００６】
上記目的を達成するため、請求項１に記載の発明では、受信局および受信開始時刻を指定するパラメータを含むメールを作成するメール作成手段と、前記メール作成手段により作成されたメールを送信するメール送信手段と、メールを受信するメール受信手段と、自動受信を行うか否かを設定する自動受信設定手段と、前記自動受信設定手段により自動受信するよう設定された場合、前記メール受信手段により受信されたメールに、前記パラメータが含まれるか否かを判定するパラメータ判定手段と、前記パラメータ判定手段によって前記パラメータが含まれると判定された場合、当該パラメータが指定する受信局の放送を受信開始時刻に自動的に受信する放送受信手段とを具備することを特徴とする。
【０００７】
請求項２に記載の発明では、受信局および受信開始時刻を指定するパラメータを含むメールを作成するメール作成手段と、前記メール作成手段により作成されたメールを送信するメール送信手段とを具備することを特徴とする。
【０００８】
請求項３に記載の発明では、メールを受信するメール受信手段と、自動受信を行うか否かを設定する自動受信設定手段と、前記自動受信設定手段により自動受信するよう設定された場合、前記メール受信手段により受信されたメールに、受信局および受信開始時刻を指定するパラメータが含まれるか否かを判定するパラメータ判定手段と、前記パラメータ判定手段によって前記パラメータが含まれると判定された場合、当該パラメータが指定する受信局の放送を受信開始時刻に自動的に受信する放送受信手段とを具備することを特徴とする。
【０００９】
請求項４に記載の発明では、受信局および受信開始時刻を指定する自動選局受信パラメータと、コントラストおよび明るさを指定する受信態様自動調整パラメータとを含むメールを作成するメール作成手段と、前記メール作成手段により作成されたメールを送信するメール送信手段と、メールを受信するメール受信手段と、自動受信を行うか否かを設定する自動受信設定手段と、前記自動受信設定手段により自動受信するよう設定された場合、前記メール受信手段により受信されたメールに、前記自動選局受信パラメータおよび受信態様自動調整パラメータが含まれるか否かを判定するパラメータ判定手段と、前記パラメータ判定手段によって前記自動選局受信パラメータが含まれると判定された場合、当該パラメータが指定する受信局の放送を受信開始時刻に自動的に受信する放送受信手段と、前記パラメータ判定手段によって前記受信態様自動調整パラメータが含まれると判定された場合、当該パラメータが指定するコントラストおよび明るさの受信態様となるよう自動的に調整する受信態様調整手段とを具備することを特徴としている。
【００１０】
請求項５に記載の発明では、受信局および受信開始時刻を指定するパラメータを含むメールを作成するメール作成処理と、前記メール作成処理により作成されたメールを送信するメール送信処理と、メールを受信するメール受信処理と、自動受信を行うか否かを設定する自動受信設定処理と、前記自動受信設定処理にて自動受信するよう設定された場合、前記メール受信処理により受信されたメールに、前記パラメータが含まれるか否かを判定するパラメータ判定処理と、前記パラメータ判定処理によって前記パラメータが含まれると判定された場合、当該パラメータが指定する受信局の放送を受信開始時刻に自動的に受信する放送受信処理とをコンピュータで実行させることを特徴とする。
【００１１】
請求項６に記載の発明では、受信局および受信開始時刻を指定するパラメータを含むメールを作成するメール作成処理と、前記メール作成手段により作成されたメールを送信するメール送信処理とをコンピュータで実行させることを特徴とする。
【００１２】
請求項７に記載の発明では、メールを受信するメール受信処理と、自動受信を行うか否かを設定する自動受信設定処理と、前記自動受信設定処理にて自動受信するよう設定された場合、前記メール受信処理により受信されたメールに、受信局および受信開始時刻を指定するパラメータが含まれるか否かを判定するパラメータ判定処理と、前記パラメータ判定処理によって前記パラメータが含まれると判定された場合、当該パラメータが指定する受信局の放送を受信開始時刻に自動的に受信する放送受信処理とをコンピュータで実行させることを特徴とする。
【００１３】
請求項８に記載の発明では、受信局および受信開始時刻を指定する自動選局受信パラメータと、コントラストおよび明るさを指定する受信態様自動調整パラメータとを含むメールを作成するメール作成処理と、前記メール作成処理にて作成されたメールを送信するメール送信処理と、メールを受信するメール受信処理と、自動受信を行うか否かを設定する自動受信設定処理と、前記自動受信設定処理にて自動受信するよう設定された場合、前記メール受信処理により受信されたメールに、前記自動選局受信パラメータおよび受信態様自動調整パラメータが含まれるか否かを判定するパラメータ判定処理と、前記パラメータ判定処理によって前記自動選局受信パラメータが含まれると判定された場合、当該パラメータが指定する受信局の放送を受信開始時刻に自動的に受信する放送受信処理と、前記パラメータ判定処理によって前記受信態様自動調整パラメータが含まれると判定された場合、当該パラメータが指定するコントラストおよび明るさの受信態様となるよう自動的に調整する受信態様調整処理とをコンピュータで実行させることを特徴とする。
【発明の効果】
【００１４】
請求項１、５に記載の発明によれば、受信局および受信開始時刻を指定するパラメータを含むメールを作成して送信すると、このメールを受信する側では、自動受信を行うよう設定されていると、受信メールに前記パラメータが含まれるか否かを判定し、含まれていると判定された場合、当該パラメータが指定する受信局の放送を受信開始時刻に自動的に受信するので、メールを利用した自動選局受信を行うことができる。
【００１５】
請求項２、６に記載の発明によれば、受信局および受信開始時刻を指定するパラメータを含むメールを作成して送信するので、このメールを受信する側がメールに含まれるパラメータに従って指定受信局の放送を受信開始時刻に自動的に受信するよう構成されていれば、メールを利用した自動選局受信を行うことができる。
【００１６】
請求項３、７に記載の発明によれば、自動受信するよう設定された状態で受信したメールに、受信局および受信開始時刻を指定するパラメータが含まれていると、そのパラメータが指定する受信局の放送を受信開始時刻に自動的に受信するので、メールを利用した自動選局受信を行うことができる。
【００１７】
請求項４、８に記載の発明によれば、受信局および受信開始時刻を指定する自動選局受信パラメータとコントラストおよび明るさを指定する受信態様自動調整パラメータとを含むメールを作成して送信すると、このメールを受信する側では、自動受信を行うよう設定されている場合、受信したメールに前記自動選局受信パラメータおよび受信態様自動調整パラメータが含まれるか否かを判定し、前記自動選局受信パラメータが含まれると判定された場合には当該パラメータが指定する受信局の放送を受信開始時刻に自動的に受信し、前記受信態様自動調整パラメータが含まれると判定された場合には当該パラメータが指定するコントラストおよび明るさの受信態様となるよう自動的に調整するので、メールを利用した自動選局受信や受信態様自動調整を行うことが出来る。
【発明を実施するための最良の形態】
【００１８】
以下、図面を参照して本発明の実施の一形態による携帯電話１０について説明する。
Ａ．構成
図１は携帯電話１０の構成を示すブロック図である。携帯電話１０は、携帯電話部１００およびＴＶ部２００から構成される。以下、携帯電話部１００とＴＶ部２００とに分けて各部構成を説明する。
【００１９】
（１）携帯電話部１００の構成
携帯電話部１００は通信処理部１０１、制御部１０２、ＲＯＭ１０３、ＲＡＭ１０４、操作部１０５、スピーカ１０６、マイク１０７、表示部１０８および電源部１０９から構成される。通信処理部１０１は、アンテナＡＮＴ１を介して受信復調した音声データを制御部１０２に出力する一方、制御部１０２から供給される音声データを変調して得た送信信号を高周波増幅してアンテナＡＮＴ１から送信する。制御部１０２は、ＣＰＵおよびベースバンド信号処理用のＤＳＰ等から構成され、後述する操作部１０５のスイッチ操作に応じて、携帯電話部１００およびＴＶ部２００の動作を制御する。
【００２０】
携帯電話部１００に関して制御部１０２は、音声信号処理および通信制御処理を実行する。音声信号処理では、通信処理部１０１が発生する通話中の音声データを音声信号にＤ／Ａ変換してスピーカ１０６から発音させたり、マイク１０７から出力される音声信号を音声データにＡ／Ｄ変換して通信処理部１０１に供給する。通信制御処理の内容については、後述するメインルーチンの動作説明で述べる。ＲＯＭ１０３は、制御部１０２により実行される音声信号処理や通信制御処理を形成する各種プログラムを記憶する他、各種プログラムで利用される制御データ等を記憶する。なお、ここで言う通信制御処理のプログラムとは、後述するメインルーチン、着信報知処理、メール作成処理、本文入力処理、自動チューニング設定処理、受信ＢＯＸ処理およびメール着信処理を実行するプログラムを含む。
【００２１】
ＲＡＭ１０４は、制御部１０２が実行する各種処理に使われるフラグやレジスタデータを一時記憶するワークエリアや、アドレス帳、着信履歴、発信履歴などを記憶する加入者情報エリア、送受信メールおよび作成メールを記憶するメールエリアおよび待受画面などの各種表示画面を形成する画像データを記憶する表示エリア等を備える。なお、メールエリアにはメール作成時に使用する新規作成エリアや受信ＢＯＸエリア等が設けられている。また、新規作成エリアは宛先、件名および本文を保存する各エリアを有する。
【００２２】
操作部１０５は、パワーオンオフする電源スイッチ、通話開始／終了時に操作されるオフフック／オンフックスイッチ、ＴＶ部２００をオンオフするＴＶスイッチ、ダイヤルスイッチと兼用の文字入力スイッチの他、機能設定スイッチ、カーソルスイッチ、決定スイッチ、戻るスイッチ、メール機能の起動を指示するメールスイッチおよびメール送信時に操作される送信スイッチ等を備える。表示部１０８はカラー液晶パネルおよび表示ドライバから構成され、制御部１０２の制御の下に待受画面など各種画面を表示する。電源部１０９は、バッテリあるいは充電器から供給される電源電圧をスイッチングレギュレートして表示部１０８の表示駆動電圧やその他各部の駆動電圧を発生する。
【００２３】
（２）ＴＶ部２００の構成
ＴＶ部２００は、ＴＶスイッチ操作に応じてオンオフ設定されるチューナ２０１、トランスポートデコーダ２０２およびＡＶデコーダ２０３の他、携帯電話部１００側と共用される制御部１０２、ＲＯＭ１０３、ＲＡＭ１０４、操作部１０５、スピーカ１０６および表示部１０８から構成される。チューナ２０１は、アンテナＡＮＴ２を介してＵＨＦ帯のデジタルテレビジョン放送信号を選局受信する。トランスポートデコーダ２０２は、チューナ２０１の受信出力をＯＦＤＭ復調して得たトランスポートストリーム信号から番組パケット（ＭＰＥＧデータ）を分離抽出する。ＡＶデコーダ２０３は、トランスポートデコーダ２０２が分離抽出した番組パケットを映像／音声データに復号する。ＴＶ部２００における制御部１０２は、チューナ２０１、トランスポートデコーダ２０２およびＡＶデコーダ２０３の入出力を制御する。ＴＶ部２００における操作部１０５には、ＴＶ部２００をオンオフ設定するＴＶスイッチが設けられる。
【００２４】
Ｂ．動作
次に、図２〜図１１を参照して制御部１０２が実行するメインルーチン、着信報知処理、メール作成処理、本文入力処理、自動チューニング設定処理、受信ＢＯＸ処理およびメール着信処理の各動作を順番に説明する。
【００２５】
（１）メインルーチンの動作
携帯電話１０の電源スイッチが操作されてパワーオンされると、制御部１０２は図２〜図５に図示するメインルーチンを実行する。メインルーチンが実行されると、制御部１０２は図２に示すステップＳＡ１に処理を進め、携帯電話１０の各部を初期化するイニシャライズを実行する。次いで、ステップＳＡ２では、ＲＯＭ１０３から読み出した待ち受け画像データをＲＡＭ１０４の表示エリアにストアし、ストアされた待ち受け画像データに基づき待受画面を表示部１０８に表示する。次に、ステップＳＡ３以降では、操作部１０５に配設されるオフフックスイッチ、メールスイッチおよびＴＶスイッチのオン操作にそれぞれ対応した処理と、これらスイッチがオン操作されない場合の処理とを実行する。以下、各スイッチ操作がオン操作された場合と、スイッチ操作が行われない場合とに分け、これら各場合の処理動作を述べる。
【００２６】
ａ．オフフックスイッチがオン操作された場合
ユーザが通話を開始すべくオフフックスイッチをオン操作すると、ステップＳＡ３の判断結果が「ＹＥＳ」になり、ステップＳＡ４に進み、番号入力処理を実行する。番号入力処理では、表示部１０８に表示される画面を待受画面から番号入力画面に変更し、ダイヤルスイッチの操作に応じて入力された電話番号を番号入力画面に画面表示しつつレジスタセットする。続いて、ステップＳＡ５〜ＳＡ６では、レジスタセットされた電話番号に基づき発信および呼出報知を実行する。呼出報知に応じて着呼側がオフフックして回線が接続されると、ステップＳＡ７の判断結果が「ＹＥＳ」になり、ステップＳＡ８に進み、通話処理を実行する。以後、オンフックスイッチがオン操作されるまでステップＳＡ８の通話処理を継続する。
【００２７】
ｂ．オンフックスイッチがオン操作された場合
上記ステップＳＡ８の通話処理中にユーザがオンフックスイッチをオン操作すると、ステップＳＡ９の判断結果が「ＹＥＳ」となり、ステップＳＡ１０に進み、回線を切る終話処理を実行した後、上述のステップＳＡ２に処理を戻して待受画面表示状態に復帰する。
【００２８】
ｃ．メールスイッチがオン操作された場合
待受画面表示状態でユーザがメールスイッチをオン操作したとする。そうすると、図３に示すステップＳＡ１１の判断結果が「ＹＥＳ」になり、ステップＳＡ１２に進む。ステップＳＡ１２に進むと、制御部１０２は表示部１０８にメール画面を表示する。メール画面とは、図示していないが、例えば「メール作成」、「受信ＢＯＸ」および「自動チューニング設定」等、メール機能に係わる処理項目を一覧表示する画面である。次いで、ステップＳＡ１３に進むと、このメール画面に一覧表示される処理項目の一つを強調表示する。例えば、メール画面におけるデフォルト位置（例えば画面最上位の行）に表示される処理項目を強調表示する。なお、ここで言う強調表示とは、フォーカスされた項目の表示領域の表示色を異ならせる等の表示処理を指す。
【００２９】
次に、ステップＳＡ１４〜ＳＡ１７では、メール画面が表示された状態で行われるカーソルスイッチ、決定スイッチおよび戻るスイッチのオン操作にそれぞれ対応した処理を実行する。すなわち、メール画面に一覧表示される処理項目の内から所望の項目を選択すべくユーザがカーソルスイッチをオン操作すると、ステップＳＡ１４の判断結果が「ＹＥＳ」になり、ステップＳＡ１５に進み、強調表示する位置を移動させる。そして、ユーザが決定スイッチをオン操作すると、ステップＳＡ１６の判断結果が「ＹＥＳ」になり、ステップＳＡ１８に進む。なお、メール機能に係わる処理項目の選択／実行指示を中止する為に戻るスイッチがオン操作された場合には、ステップＳＡ１７の判断結果が「ＹＥＳ」となり、図２に図示するステップＳＡ２に処理を戻して待受画面表示状態に復帰する。
【００３０】
続いて、ステップＳＡ１８〜ＳＡ２４では、上記ステップＳＡ１４〜ＳＡ１６にて選択／実行指示された処理項目を起動する。つまり、カーソルスイッチおよび決定スイッチのオン操作によって選択／実行指示された処理項目が「メール作成」の場合には、ステップＳＡ１８の判断結果が「ＹＥＳ」になり、ステップＳＡ１９を介してメール作成処理（後述する）を実行した後、ステップＳＡ１２に処理を戻してメール画面表示状態に復帰する。
【００３１】
選択／実行指示された処理項目が「受信ＢＯＸ」の場合には、ステップＳＡ２０の判断結果が「ＹＥＳ」になり、ステップＳＡ２１を介して受信ＢＯＸ処理（後述する）を実行した後、ステップＳＡ１２に処理を戻してメールリスト画面表示状態に復帰する。
【００３２】
選択／実行指示された処理項目が「自動チューニング設定」の場合には、ステップＳＡ２２の判断結果が「ＹＥＳ」になり、ステップＳＡ２３を介して自動チューニング設定処理（後述する）を実行した後、ステップＳＡ１２に処理を戻してメール画面表示状態に復帰する。
【００３３】
選択／実行指示された処理項目が「メール作成」、「受信ＢＯＸ」および「自動チューニング設定」以外であると、ステップＳＡ２４に進み、その他のメール処理を実行した後、ステップＳＡ１２に処理を戻してメール画面表示状態に復帰する。
【００３４】
ｄ．ＴＶスイッチがオン操作された場合
ユーザがＴＶスイッチをオン操作すると、図４に示すステップＳＡ２５の判断結果が「ＹＥＳ」になり、ステップＳＡ２６に進み、ＴＶ部２００（チューナ２０１、トランスポートデコーダ２０２およびＡＶデコーダ２０３）をオン状態に設定する。続いて、ステップＳＡ２７〜ＳＡ２８では、ＡＶデコーダ２０３が発生する映像・音声データを表示部１０８に動画表示すると共に、スピーカ１０６から放音する。次いで、ステップＳＡ２９〜ＳＡ３６では、ＴＶ部２００に関するスイッチ操作に応じた処理を実行する。すなわち、選局用のチャンネルスイッチがオン操作された場合には、ステップＳＡ２９の判断結果が「ＹＥＳ」になり、ステップＳＡ３０に進み、チャンネルスイッチのオン操作に応じて設定されたチャンネル周波数に変更するようチューナ２０１に指示する。
【００３５】
また、コントラスト変更操作が行われた場合には、ステップＳＡ３１の判断結果が「ＹＥＳ」になり、ステップＳＡ３２に進み、表示部１０８のコントラスト設定を変更操作に応じて調整する。さらに、明るさ（ブライトネス）変更操作が行われた場合には、ステップＳＡ３３の判断結果が「ＹＥＳ」になり、ステップＳＡ３４に進み、表示部１０８の明るさ設定を変更操作に応じて調整する。次いで、ステップＳＡ３５では、ＴＶスイッチがオフ操作されたか否かを判断する。オフ操作されていなければ、判断結果は「ＮＯ」になり、上述のステップＳＡ２７に処理を戻して放送受信を継続させる。そして、ＴＶスイッチがオフ操作されると、ステップＳＡ３５の判断結果が「ＹＥＳ」となり、ステップＳＡ３６に進み、ＴＶ部２００をオフ状態に設定した後、図２に図示するステップＳＡ２に処理を戻して待受画面表示状態に復帰する。
【００３６】
ｅ．スイッチ操作が行われない場合
スイッチ操作が行われない場合には、前述したステップＳＡ３（図２参照）、ステップＳＡ１１（図３参照）およびステップＳＡ２５（図４参照）の各判断結果がいずれも「ＮＯ」になり、図５に示すステップＳＡ３７に進み、現時刻を取得する。なお、制御部１０２内部で計時される時刻は、ＴＶ部２００が受信データ（トランスポートストリーム信号）中から抽出する時刻データを利用して校正され、これにより携帯電話１０側の時刻を放送時刻に同定させるようになっている。
【００３７】
次に、ステップＳＡ３８では、フラグＯＮＦが「１」であるか否かを判断する。フラグＯＮＦとは、後述するように、自動チューニング（自動受信）を行うか否かを表すフラグであり、自動チューニングを行う場合に「１」、行わない場合に「０」がセットされる。したがって、このステップＳＡ３８では、自動チューニングを行うように設定されているか否かを判断する。自動チューニングを行わない場合には、判断結果が「ＮＯ」となり、図２に図示するステップＳＡ２に処理を戻して待受画面表示状態に復帰する。一方、自動チューニングを行う場合には、判断結果が「ＹＥＳ」になり、次のステップＳＡ３９に進む。ステップＳＡ３９では、レジスタＴＩＭＥに受信時刻を表す時間パラメータがストアされているか否かを判断する。後述するように、受信開始時刻を表す時間パラメータをメール本文中に備えたメールが着信した場合、その着信メールの本文中から時間パラメータを抽出してレジスタＴＩＭＥにストアするようになっている。
【００３８】
レジスタＴＩＭＥに受信開始時刻を表す時間パラメータがストアされていなければ、判断結果は「ＮＯ」となり、図２に図示するステップＳＡ２に処理を戻して待受画面表示状態に復帰する。これに対し、レジスタＴＩＭＥに時間パラメータがストアされていると、判断結果が「ＹＥＳ」になり、ステップＳＡ４０に進む。ステップＳＡ４０では、レジスタＴＩＭＥにストアされた時間パラメータ（受信開始時刻）が現時刻に一致するかどうか、つまり自動受信を開始する時刻であるかどうかを判断する。自動受信を開始する時刻でなければ、判断結果は「ＮＯ」となり、図２に図示するステップＳＡ２に処理を戻して待受画面表示状態に復帰する。一方、自動受信を開始する時刻であると、判断結果が「ＹＥＳ」となり、ステップＳＡ４１に進む。
【００３９】
このように、ステップＳＡ３８〜ＳＡ４０では、自動チューニングを行うように設定され、かつ受信メールの本文に含まれた時間パラメータ（受信開始時刻）に現時刻が達したかどうかを判断している。そして、自動受信を開始する時刻であると、ステップＳＡ４１に進み、ＴＶ部２００をオン状態に設定し、続くステップＳＡ４２〜ＳＡ４４では、受信メールの本文から抽出されてレジスタＣＨ、ＢＲＴおよびＣＮＴにそれぞれ格納された「チャンネル」、「明るさ」および「コントラスト」に従って自動選局受信および受信態様自動調整を実行する。こうして、メールを利用した自動選局受信および受信態様自動調整が行われると、図４に示すステップＳＡ２７に処理を戻して放送受信状態になる。
【００４０】
（２）着信報知処理の動作
次に、図６を参照して着信報知処理の動作を説明する。上述したメインルーチン実行中に着信があると、制御部１０２は着信報知処理を割込み実行する。着信報知処理が実行されると、制御部１０２は図６に示すステップＳＢ１に処理を進め、ＴＶ部２００がオン状態にあるか否かを判断する。オン状態にあると、判断結果は「ＹＥＳ」になり、ステップＳＢ２に進み、ＴＶ部２００を一時的にオフ状態に設定してステップＳＢ３に進む。一方、ＴＶ部２００がオフ状態であれば、上記ステップＳＢ１の判断結果は「ＮＯ」となり、ステップＳＢ３に進む。そして、ステップＳＢ３〜ＳＢ４では、オフフックスイッチがオン操作されるまで着信報知を行う。
【００４１】
ユーザがオフフックスイッチをオン操作すると、ステップＳＢ４の判断結果が「ＹＥＳ」となり、ステップＳＢ５に進む。ステップＳＢ５〜ＳＢ６では、オンフックスイッチがオン操作されるまで通話処理を実行する。そして、ユーザがオンフックスイッチをオン操作すると、ステップＳＢ６の判断結果が「ＹＥＳ」となり、ステップＳＢ７に進み、回線を切る終話処理を実行する。この後、ステップＳＢ８では、ＴＶ部２００が一時的にオフ状態に設定されているか否かを判断する。ＴＶ部２００が一時的にオフ状態に設定されていなければ、判断結果は「ＮＯ」となり、本処理を完了させるが、上記ステップＳＢ２においてＴＶ部２００を一時的にオフ状態に設定した場合には、判断結果が「ＹＥＳ」になり、ステップＳＢ９に進み、ＴＶ部２００をオン状態に戻して本処理を完了させる。
【００４２】
（３）メール作成処理の動作
次に、図７を参照してメール作成処理の動作を説明する。前述したメインルーチンのステップＳＡ１９（図３参照）を介して本処理が実行されると、制御部１０２は図７に示すステップＳＣ１に進む。ステップＳＣ１では、「宛先」、「件名」および「本文」の各入力項目を備えるメール作成画面を表示部１０８に表示する。次いで、ステップＳＣ２では、メール作成画面に設けられる入力項目の一つ、例えばデフォルトで選択される入力項目である「宛先」を強調表示する。次いで、ステップＳＣ３以降では、新規メールを作成するよう行われるスイッチ操作（文字入力操作を含む）に対応した処理を実行する。以下では、実際のメール作成操作に沿って「宛先入力」、「件名入力」、「本文入力」、「作成キャンセル」および「メール送信」を行う場合の各動作について説明する。
【００４３】
ａ．宛先入力
メール作成画面に設けられる入力項目の内、「宛先」が強調表示されている状態で決定スイッチをオン操作すると、ステップＳＣ５およびステップＳＣ１１の各判断結果が「ＹＥＳ」になり、ステップＳＣ１２に進み、宛先入力処理を実行する。宛先入力処理では、例えば直接文字入力されるメールアドレスを宛先エリアに格納したり、あるいはアドレス帳や送信履歴から宛先のメールアドレスを引用して宛先エリアに入力したりする処理が行われる。この後、送信スイッチをオン操作しなければ、ステップＳＣ９の判断結果が「ＮＯ」になり、ステップＳＣ１に処理を戻してメール作成画面表示状態に復帰する。
【００４４】
ｂ．件名入力
次に、メール作成画面に設けられる入力項目の内、「件名」を強調表示させるべくカーソルスイッチをオン操作したとする。そうすると、ステップＳＣ３の判断結果が「ＹＥＳ」となり、ステップＳＣ４に進み、強調表示位置を移動させる。そして、「件名」が強調表示されている状態で決定スイッチをオン操作すると、ステップＳＣ５およびステップＳＣ１３の各判断結果が「ＹＥＳ」となり、ステップＳＣ１４に進み、入力された文字データを件名エリアに格納する件名入力処理を実行する。件名入力処理が完了した後に送信スイッチをオン操作しなければ、ステップＳＣ９の判断結果が「ＮＯ」になり、ステップＳＣ１に処理を戻してメール作成画面表示状態に復帰する。
【００４５】
ｃ．本文入力
次に、メール作成画面に設けられる入力項目の内、「本文」を強調表示させるべくカーソルスイッチをオン操作すると、ステップＳＣ３の判断結果が「ＹＥＳ」となり、ステップＳＣ４に進み、強調表示位置を移動させる。そして、「本文」が強調表示されている状態で決定スイッチをオン操作すると、ステップＳＣ５およびステップＳＣ７の各判断結果が「ＹＥＳ」となり、ステップＳＣ８に進み、入力された文字データやパラメータ（後述する）を本文エリアに格納する本文入力処理（後述する）を実行する。本文入力処理が完了した後に送信スイッチをオン操作しなければ、ステップＳＣ９の判断結果が「ＮＯ」になり、ステップＳＣ１に処理を戻してメール作成画面表示状態に復帰する。
【００４６】
ｄ．メール作成キャンセル
メール作成をキャンセルすべく、戻るスイッチをオン操作した場合には、ステップＳＣ６の判断結果が「ＹＥＳ」となり、本処理を完了させる。本処理が完了すると、前述したメインルーチンのステップＳＡ１２（図３参照）に処理を戻してメール画面表示状態に復帰する。
【００４７】
ｅ．メール送信
送信スイッチをオン操作すると、ステップＳＣ９の判断結果が「ＹＥＳ」になり、ステップＳＣ１０に進み、送信処理を実行する。送信処理では、宛先入力の有無を判断し、宛先未入力の場合には一定期間の間、宛先未入力であることを表示部１０８に警告表示して宛先入力を促す。一方、宛先入力済みの場合には新規作成したメール、すなわちメモリ１６の新規作成エリアに格納されたメールを送信し、送信し終えたメールをメモリ１６の送信ＢＯＸに保存する。そして、送信処理が完了すると、ステップＳＣ１に処理を戻してメール作成画面表示状態に復帰する。
【００４８】
（４）本文入力処理の動作
次に、図８を参照して本文入力処理の動作を説明する。上述したメール作成処理（図７参照）のステップＳＣ８を介して本処理が実行されると、制御部１０２は図８に示すステップＳＤ１に処理を進め、表示部１０８に本文入力画面を表示し、この本文入力画面が備える本文入力エリアの先頭入力位置に文字カーソルを表示する。続いて、ステップＳＤ２では、文字入力スイッチを用いた通常の文字入力操作あるいはパラメータ入力操作のいずれであるかを判断する。なお、パラメータ入力操作とは、例えばパラメータ入力を表す機能キー押下に続いて行う文字入力操作を指す。以下では、文字入力操作が行われた場合の動作と、パラメータ入力操作が行われた場合とに分けて各動作を説明する。
【００４９】
ａ．文字入力操作が行われた場合
文字入力操作が行われると、ステップＳＤ２の判断結果は「ＹＥＳ」になり、ステップＳＤ３に進む。ステップＳＤ３〜ＳＤ４では、文字カーソル位置に入力文字を表示させたり、あるいはユーザ操作に応じて入力文字を漢字などに変換して表示した後、文字カーソルを次の入力位置に移動させる。次いで、ステップＳＤ５〜ＳＤ６では、決定スイッチおよび戻るスイッチのオン操作の有無を判断する。戻るスイッチがオン操作されると、ステップＳＤ６の判断結果が「ＹＥＳ」になり、本処理を完了させる。一方、決定スイッチがオン操作された場合には、ステップＳＤ５の判断結果が「ＹＥＳ」になり、ステップＳＤ７に進み、ＲＡＭ１０４のメールエリアに設けられるメール本文エリアに、入力確定された文字データをストアして本処理を完了させる。
【００５０】
ｂ．パラメータ入力操作が行われた場合
パラメータ入力操作が行われると、ステップＳＤ２の判断結果が「ＮＯ」となり、ステップＳＤ８以降に処理を進める。ステップＳＤ８以降では、入力されるパラメータ種に対応した処理を実行する。すなわち、自動受信の開始時刻を表す時間パラメータが入力された場合には、ステップＳＤ８の判断結果が「ＹＥＳ」となり、ステップＳＤ９に進み、入力された時間パラメータを文字カーソル位置に時間表示（例えば年／月／日／時：分）する。
【００５１】
受信チャンネルを表すチューニングパラメータが入力された場合には、ステップＳＤ１０の判断結果が「ＹＥＳ」となり、ステップＳＤ１１に進み、文字カーソル位置にチャンネル表示（例えばＴＶ：××ＣＨ）する。
【００５２】
コントラストパラメータが入力された場合には、ステップＳＤ１２の判断結果が「ＹＥＳ」となり、ステップＳＤ１３に進み、文字カーソル位置にコントラスト値表示（例えばＣＮＴ：××）する。
【００５３】
明るさパラメータが入力された場合には、ステップＳＤ１４の判断結果が「ＹＥＳ」となり、ステップＳＤ１５に進み、文字カーソル位置に明るさ値表示（例えばＢＲＴ：××）する。こうして、パラメータ入力がなされると、上述したステップＳＤ４以降を実行する。
【００５４】
（５）自動チューニング設定処理の動作
次に、図９を参照して自動チューニング設定処理の動作を説明する。前述したメインルーチンのステップＳＡ２３（図３参照）を介して本処理が実行されると、制御部１０２は図９に示すステップＳＥ１に進み、表示部１０８にチューニング設定画面を表示する。チューニング設定画面とは、選択項目「ＯＮ」および「ＯＦＦ」を有し、これら項目のいずれかを選択決定して自動チューニングをオン設定あるいはオフ設定する画面である。次いで、ステップＳＥ２では、フラグＯＮＦが「１」、つまり自動チューニングが現在オン設定されている状態であるか否かを判断する。自動チューニングがオフ設定されていると、判断結果は「ＮＯ」になり、ステップＳＥ３に進み、チューニング設定画面に設けられる選択項目「ＯＦＦ」を強調表示する。一方、自動チューニングがオン設定されていれば、上記ステップＳＥ２の判断結果は「ＹＥＳ」となり、ステップＳＥ４に進み、チューニング設定画面に設けられる選択項目「ＯＮ」を強調表示する。
【００５５】
続いて、ステップＳＥ５〜ＳＥ８では、カーソルスイッチ、決定スイッチおよび戻るスイッチのオン操作にそれぞれ対応した処理を実行する。すなわち、カーソルスイッチのオン操作に応じて、ステップＳＥ５の判断結果が「ＹＥＳ」になり、ステップＳＥ６に進み、強調表示する位置を移動させる。そして、決定スイッチのオン操作に応じて、ステップＳＥ７の判断結果が「ＹＥＳ」になり、ステップＳＥ９に進む。なお、自動チューニング設定を中断する為に戻るスイッチがオン操作された場合には、ステップＳＥ８の判断結果が「ＹＥＳ」となり、本処理を完了させる。ステップＳＥ９では、選択項目「ＯＮ」および「ＯＦＦ」のいずれが強調表示されているかを判断する。選択項目「ＯＦＦ」が強調表示されている場合には、ステップＳＥ１０に進み、フラグＯＮＦをゼロリセットし、一方、選択項目「ＯＮ」が強調表示されている場合には、ステップＳＥ１１に進み、フラグＯＮＦを「１」にセットして本処理を終える。
【００５６】
（６）受信ＢＯＸ処理の動作
次に、図１０を参照して受信ＢＯＸ処理の動作を説明する。前述したメインルーチンのステップＳＡ２１（図３参照）を介して本処理が実行されると、制御部１０２は図１０に示すステップＳＦ１に進み、メモリ１６のメールエリア内の受信ＢＯＸに格納される受信メールの件名を一覧表示する受信メールリスト画面を表示部１０８に表示する。次いで、ステップＳＦ２では、この受信メールリスト画面に一覧表示される件名の内、例えばデフォルトで選択される件名（画面最上位に表示される件名）を強調表示する。そして、ステップＳＦ３〜ＳＦ６では、カーソルスイッチ、決定スイッチおよび戻るスイッチのオン操作に対応した処理を実行する。
【００５７】
すなわち、受信メールリスト画面に一覧表示される件名のいずれかを選択すべくユーザがカーソルスイッチをオン操作すると、ステップＳＦ３の判断結果が「ＹＥＳ」になり、ステップＳＦ４に進み、強調表示する位置を移動させる。そして、ユーザが決定スイッチをオン操作すると、ステップＳＦ５の判断結果が「ＹＥＳ」になり、ステップＳＦ７に進む。ステップＳＦ７では、受信メールリスト画面で強調表示（選択）された件名の受信メールを開封し、開封した受信メールの「差出し人名」、「件名」および「本文」の各内容を開封画面として表示部１０８に表示する。次いで、ステップＳＦ８では、戻るスイッチがオン操作されるまで開封画面表示状態を維持する。そして、戻るスイッチがオン操作されると、ステップＳＦ８の判断結果が「ＹＥＳ」になり、ステップＳＦ１に処理を戻して受信メールリスト画面表示状態に復帰する。この後、戻るスイッチのオン操作に応じて、ステップＳＦ６の判断結果が「ＹＥＳ」となり、本処理を完了させる。
【００５８】
（７）メール着信処理の動作
次に、図１１を参照してメール着信処理の動作を説明する。メインルーチン実行中にメール着信があると、制御部１０２は本処理を割込み実行し、図１１に示すステップＳＧ１に処理を進める。ステップＳＧ１〜ＳＧ２では、着信したメールをメモリ１６のメールエリアに設けられる受信ＢＯＸにストアする一方、一定時間メール着信報知を行う。次いで、ステップＳＧ３では、フラグＯＮＦが「１」、つまり自動チューニングを行うように設定されているか否かを判断する。自動チューニングを行うように設定されていなければ、判断結果は「ＮＯ」になり、本処理を完了させる。
【００５９】
一方、自動チューニングを行うように設定されていると、上記ステップＳＧ３の判断結果が「ＹＥＳ」になり、ステップＳＧ４に進む。ステップＳＧ４〜ＳＧ１１では、受信メールの本文中に「時間パラメータ」、「チューニングパラメータ」、「明るさパラメータ」および「コントラストパラメータ」が含まれているかどうかを判断し、含まれているパラメータを対応するレジスタにストアして本処理を完了させる。
【００６０】
すなわち、受信メールの本文中に「時間パラメータ」が含まれていると、ステップＳＧ４の判断結果が「ＹＥＳ」となり、ステップＳＧ５に進み、「時間パラメータ」が表す時間（受信開始日時）をレジスタＴＩＭＥにストアする。
【００６１】
受信メールの本文中に「チューニングパラメータ」が含まれていると、ステップＳＧ６の判断結果が「ＹＥＳ」となり、ステップＳＧ７に進み、「チューニングパラメータ」が表す受信チャンネルをレジスタＣＨにストアする。
【００６２】
受信メールの本文中に「明るさパラメータ」が含まれていると、ステップＳＧ８の判断結果が「ＹＥＳ」となり、ステップＳＧ９に進み、「明るさパラメータ」が表す明るさ値をレジスタＢＲＴにストアする。
【００６３】
受信メールの本文中に「コントラストパラメータ」が含まれていると、ステップＳＧ１０の判断結果が「ＹＥＳ」となり、ステップＳＧ１１に進み、「コントラストパラメータ」が表すコントラスト値をレジスタＣＮＴにストアする。
【００６４】
以上のように、本実施の形態では、時間パラメータ、チューニングパラメータ、コントラストパラメータおよび明るさパラメータを本文に含むメールを作成して送信すると、このメールを受信する側が自動チューニング（自動受信）を行うように設定されている場合、着信メールの本文に含まれる上記各パラメータを認識し、チューニングパラメータが指定するチャンネルの放送を、時間パラメータで指定される時刻に受信を開始し、コントラストパラメータおよび明るさパラメータに従って受信態様を自動的に調整するので、メールを利用した自動選局受信や受信態様自動調整を行うことが可能になっている。また、受信メールに含まれるパラメータを認識して自動的に受信動作させることが可能になる為、メール送信側から見れば、メール受信側の通信端末装置をリモートコントロールすることが出来るようになる。
【００６５】
なお、上述した実施の形態では、時間パラメータ、チューニングパラメータ、コントラストパラメータおよび明るさパラメータをメール本文に設けるようにしたが、これに限らず、メールの件名に設ける態様やメール添付するファイルにパラメータを設ける態様であっても構わない。
また、本実施例では、メール受信する側で自動チューニングを行うか否かを設定するようにしたが、これに替えて、例えば自動選局受信パラメータの他に、緊急度を表すパラメータを含むメールを送信し、このメールを受信する側が緊急度を表すパラメータに応じて自動選局受信パラメータを認識するかどうかを判断することも可能である。このようにすれば、例えば津波や地震などの災害が予見される場合に、最も緊急度の高いパラメータおよび自動選局受信パラメータを含むメールを一斉送信すれば、そのメールを受信する側が自動的に非常放送を受信できるようになる。
【図面の簡単な説明】
【００６６】
【図１】実施の一形態による携帯電話１０の構成を示すブロック図である。
【図２】メインルーチンの動作を示すフローチャートである。
【図３】メインルーチンの動作を示すフローチャートである。
【図４】メインルーチンの動作を示すフローチャートである。
【図５】メインルーチンの動作を示すフローチャートである。
【図６】着信報知処理の動作を示すフローチャートである。
【図７】メール作成処理の動作を示すフローチャートである。
【図８】本文入力処理の動作を示すフローチャートである。
【図９】自動チューニング設定処理の動作を示すフローチャートである。
【図１０】受信ＢＯＸ処理の動作を示すフローチャートである。
【図１１】メール着信処理の動作を示すフローチャートである。
【符号の説明】
【００６７】
１０  携帯電話
１０１  通信処理部
１０２  制御部
１０３  ＲＯＭ
１０４  ＲＡＭ
１０５  操作部
１０６  スピーカ
１０７  マイク
１０８  表示部
１０９  電源部
２０１  チューナ
２０２  トランスポートデコーダ
２０３  ＡＶデコーダ
【図１】
2005192091.tif 000003
【図２】
2005192091.tif 000004
【図３】
2005192091.tif 000005
【図４】
2005192091.tif 000006
【図５】
2005192091.tif 000007
【図６】
2005192091.tif 000008
【図７】
2005192091.tif 000009
【図８】
2005192091.tif 000010
【図９】
2005192091.tif 000011
【図１０】
2005192091.tif 000012
【図１１】
2005192091.tif 000013